(57)【特許請求の範囲】
【請求項１】
基材に対して複数のノズルを有する液滴吐出装置を相対移動させながら、前記液滴吐出装置のノズル列の方向に対して平行に配置される画素組に対して複数のノズルから付与される機能性材料を含む液滴組を、ノズル列の方向と交差する方向に複数組付与し、複数組の前記液滴組を合一させて、ノズル列の方向と交差する方向に伸びるライン状液体を形成し、形成された前記ライン状液体を乾燥させる際に、該ライン状液体の縁に前記機能性材料を堆積させて、該機能性材料を含むパターンを形成するパターン形成装置であって、
吐出異常ノズルの発生によるパターンの形成異常を補正する制御部を有し、
該制御部は、吐出異常ノズルが検出されたら、正常時の基本液滴吐出条件データに基づく液滴吐出条件を、補正液滴吐出条件データに基づく液滴吐出条件に変更することを特徴とするパターン形成装置。
【請求項２】
前記ライン状液体を、前記液滴吐出装置の相対移動方向に対して斜めに形成することを特徴とする請求項１記載のパターン形成装置。
【請求項３】
前記制御部は、変更候補として挙げられた複数の補正液滴吐出条件データの中から選定された補正液滴吐出条件データに基づく液滴吐出条件に変更することを特徴とする請求項１又は２記載のパターン形成装置。
【請求項４】
前記制御部は、前記複数の補正液滴吐出条件データの各々を仮選定して前記パターンを形成し、最適な補正が成されたと判定された前記パターンに対応する補正液滴吐出条件データを本選定し、該本選定された補正液滴吐出条件データに基づく液滴吐出条件に変更することを特徴とする請求項３記載のパターン形成装置。
【請求項５】
前記制御部は、前記正常時にはライン状液体を構成しない画素に対して、液滴を着弾させるような補正液滴吐出条件データに基づく液滴吐出条件に変更することを特徴とする請求項１〜４の何れかに記載のパターン形成装置。
【請求項６】
前記吐出異常ノズルによる液滴付与量の減少量を算出する算出部を有し、
前記制御部は、前記算出部により算出された前記減少量を補うような補正液滴吐出条件データに基づく液滴吐出条件に変更することを特徴とする請求項１〜５の何れかに記載のパターン形成装置。
【請求項７】
前記制御部は、前記ライン状液体を形成する液滴の総液滴吐出量を変更せずに、前記算出部により算出された前記減少量を補うような前記補正液滴吐出条件データに基づく液滴吐出条件に変更することを特徴とする請求項６記載のパターン形成装置。
【請求項８】
前記制御部は、前記ライン状液体を形成する液滴の総液滴吐出量を変更させて、前記算出部により算出された前記減少量を補うような前記補正液滴吐出条件データに基づく液滴吐出条件に変更することを特徴とする請求項６記載のパターン形成装置。
【請求項９】
前記制御部は、前記吐出異常ノズルの液滴吐出量を減じるような前記補正液滴吐出条件データに基づく液滴吐出条件に変更することを特徴とする請求項１〜４の何れかに記載のパターン形成装置。
【請求項１０】
前記制御部は、前記吐出異常ノズルに対応する前記基材上の画素に隣接する画素に対して液滴を付与するような前記補正液滴吐出条件データに基づく液滴吐出条件に変更することを特徴とする請求項１〜９の何れかに記載のパターン形成装置。
【請求項１１】
ライン状液体を形成する液滴を吐出する前記液滴吐出装置を複数有し、
前記制御部は、前記吐出異常ノズルが検出されたら、前記各液滴吐出装置の１又は複数のノズルの補正液滴吐出条件データに基づく液滴吐出条件に変更することを特徴とする請求項１〜１０の何れかに記載のパターン形成装置。
【請求項１２】
基材に対して複数のノズルを有する液滴吐出装置を相対移動させながら、前記液滴吐出装置のノズル列の方向に対して平行に配置される画素組に対して複数のノズルから付与される機能性材料を含む液滴組を、ノズル列の方向と交差する方向に複数組付与し、複数組の前記液滴組を合一させて、ノズル列の方向と交差する方向に伸びるライン状液体を形成し、形成された前記ライン状液体を乾燥させる際に、該ライン状液体の縁に前記機能性材料を堆積させて、該機能性材料を含むパターンを形成するパターン形成方法であって、
吐出異常ノズルが検出されたら、正常時の基本液滴吐出条件データに基づく液滴吐出条件を、補正液滴吐出条件データに基づく液滴吐出条件に変更することを特徴とするパターン形成方法。
【請求項１３】
前記ライン状液体を、前記液滴吐出装置の相対移動方向に対して斜めに形成することを特徴とする請求項１２記載のパターン形成方法。
【請求項１４】
前記複数の補正液滴吐出条件データの中から選定された補正液滴吐出条件データに基づく液滴吐出条件に変更することを特徴とする請求項１２又は１３記載のパターン形成方法。
【請求項１５】
前記複数の補正液滴吐出条件データの各々を仮選定して前記パターンを形成し、最適な補正が成されたと判定された前記パターンに対応する補正液滴吐出条件データを本選定し、該本選定された補正液滴吐出条件データに基づく液滴吐出条件に変更することを特徴とする請求項１４記載のパターン形成方法。
【請求項１６】
前記正常時にはライン状液体を構成しない画素に対して、液滴を着弾させるような前記補正液滴吐出条件データに基づく液滴吐出条件に変更することを特徴とする請求項１２〜１５の何れかに記載のパターン形成方法。
【請求項１７】
前記吐出異常ノズルによる液滴付与量の減少量を算出し、前記算出された前記減少量を補うような前記補正液滴吐出条件データに基づく液滴吐出条件を変更することを特徴とする請求項１２〜１６の何れかに記載のパターン形成方法。
【請求項１８】
前記ライン状液体を形成する液滴の総液滴吐出量を変更せずに、前記算出部により算出された前記減少量を補うような前記補正液滴吐出条件データに基づく液滴吐出条件に変更することを特徴とする請求項１７に記載のパターン形成方法。
【請求項１９】
前記ライン状液体を形成する液滴の総液滴吐出量を変更させて、前記算出部により算出された前記減少量を補うような前記補正液滴吐出条件データに基づく液滴吐出条件に変更することを特徴とする請求項１７に記載のパターン形成方法。
【請求項２０】
前記吐出異常ノズルの液滴吐出量を減じるような前記補正液滴吐出条件データに基づく液滴吐出条件に変更することを特徴とする請求項１２〜１５の何れかに記載のパターン形成方法。
【請求項２１】
前記吐出異常ノズルに対応する前記基材上の画素に隣接する画素に対して液滴を付与するような前記補正液滴吐出条件データに基づく液滴吐出条件に変更することを特徴とする請求項１２〜２０の何れかに記載のパターン形成方法。
【発明の詳細な説明】
【技術分野】
【０００１】
本発明は、パターン形成装置及びパターン形成方法に関し、詳しくは、液滴吐出装置により形成されたライン状液体の縁部に機能性材料を堆積させてパターン形成する際に、吐出異常ノズルの発生によるパターンの形成異常を好適に補正できるパターン形成装置及びパターン形成方法に関する。
【背景技術】
【０００２】
機能性材料を含む細線パターンを形成する方法として、従来、フォトリソグラフィー技術を利用した方法が広く用いられてきた。
【０００３】
しかしながら、フォトリソグラフィー技術は、材料のロスが多く、工程が複雑である。そのため、材料のロスが少なく、工程が簡略な方式が、種々検討されている。
【０００４】
例えば、インクジェット法などで、機能性材料を含む液滴を基材に付与して、細線パターンを形成する方式があるが、インクジェット法では、通常は、細線の幅は、吐出された液滴の直径以下にはならないため、数μｍの線幅の細線パターンを形成することは困難であった。
【０００５】
一方、あらかじめ基材の全面に撥剤を塗布した後、レーザーなどを用いて撥剤の一部を親水化して親撥パターン（即ち、親水部と撥水部により形成されるパターン）を形成し、そこにインクジェットで液滴を付与して細線を形成する方法がある。しかしながら、この方法は、撥剤を塗布したり、レーザーで親撥パターンを形成したりと工程が複雑になってしまう。
【０００６】
これに対して、液滴内部の対流を利用して液滴中の固形分である機能性材料を液滴の周縁部に堆積させて、液滴より微細な幅のパターンを形成する方法が提案されている（特許文献１）。
【０００７】
この方法によれば、特別な工程を必要とせずに、液滴直径以下の数μｍ幅の細線を形成することが可能になる。
【０００８】
この方法を用いて、導電性微粒子の微細な幅のリングを形成し、これを複数連結して透明導電膜を形成することも提案されている（特許文献２）。
【０００９】
しかしながら、この技術では、導電パスをつくるためにリングの交点が多くなり、透明性が損なわれるという課題があった。
【００１０】
これに対して、本出願人は、これまでに、基材上にライン状に付与された機能性材料を含む液体を乾燥する際に、液滴内部の対流を利用して、機能性材料をライン状液体の縁部に堆積させて、１組２本の細線からなる平行線パターンを形成すること、更には、このような平行線パターンにより構成された透明導電膜を開示している（特許文献３）。
【先行技術文献】
【特許文献】
【００１１】
【特許文献１】特開２００５−９５７８７号公報
【特許文献２】ＷＯ２０１１／０５１９５２
【特許文献３】特開２０１４−３８９９２号公報
【特許文献４】特開２０１３−１６９７６０号公報
【発明の概要】
【発明が解決しようとする課題】
【００１２】
上述したライン状液体は、インクジェットヘッド等の液滴吐出装置を用いて形成できる。
しかるに、吐出対象となる液体が機能性材料を含む場合は、ノズル詰まりによる不吐出ノズルが発生したり、所定の着弾位置に着弾しない曲がり吐出ノズルが発生することがある。
かかる不吐出ノズルや曲がり吐出ノズルのような吐出異常ノズルの発生は、平行線パターンの形成異常を招き、その解決が望まれている。
【００１３】
なお、従来、特許文献４に、吐出異常ノズルの発生下で形成される画像を補正する技術が開示されているものの、機能性材料をライン状液体の縁部に堆積させて形成される平行線パターンの形成異常を補正する技術は開示していない。
【００１４】
そこで本発明の課題は、液滴吐出装置により形成されたライン状液体の縁部に機能性材料を堆積させてパターン形成する際に、吐出異常ノズルの発生によるパターンの形成異常を好適に補正できるパターン形成装置及びパターン形成方法を提供することにある。
【００１５】
また本発明の他の課題は、以下の記載によって明らかとなる。
【課題を解決するための手段】
【００１６】
上記課題は、以下の各発明によって解決される。
【００１７】
１．
基材に対して複数のノズルを有する液滴吐出装置を相対移動させながら、前記液滴吐出装置のノズル列の方向に対して平行に配置される画素組に対して複数のノズルから付与される機能性材料を含む液滴組を、ノズル列の方向と交差する方向に複数組付与し、複数組の前記液滴組を合一させて、ノズル列の方向と交差する方向に伸びるライン状液体を形成し、形成された前記ライン状液体を乾燥させる際に、該ライン状液体の縁に前記機能性材料を堆積させて、該機能性材料を含むパターンを形成するパターン形成装置であって、
吐出異常ノズルの発生によるパターンの形成異常を補正する制御部を有し、
該制御部は、吐出異常ノズルが検出されたら、正常時の基本液滴吐出条件データに基づく液滴吐出条件を、補正液滴吐出条件データに基づく液滴吐出条件に変更することを特徴とするパターン形成装置。
【００１８】
２．
前記ライン状液体を、前記液滴吐出装置の相対移動方向に対して斜めに形成することを特徴とする前記１記載のパターン形成装置。
【００１９】
３．
前記制御部は、変更候補として挙げられた複数の補正液滴吐出条件データの中から選定された補正液滴吐出条件データに基づく液滴吐出条件に変更することを特徴とする前記１又は２記載のパターン形成装置。
【００２０】
４．
前記制御部は、前記複数の補正液滴吐出条件データの各々を仮選定して前記パターンを形成し、最適な補正が成されたと判定された前記パターンに対応する補正液滴吐出条件データを本選定し、該本選定された補正液滴吐出条件データに基づく液滴吐出条件に変更することを特徴とする前記３記載のパターン形成装置。
【００２１】
５．
前記制御部は、前記正常時にはライン状液体を構成しない画素に対して、液滴を着弾させるような補正液滴吐出条件データに基づく液滴吐出条件に変更することを特徴とする前記１〜４の何れかに記載のパターン形成装置。
【００２２】
６．
前記吐出異常ノズルによる液滴付与量の減少量を算出する算出部を有し、
前記制御部は、前記算出部により算出された前記減少量を補うような補正液滴吐出条件データに基づく液滴吐出条件に変更することを特徴とする前記１〜５の何れかに記載のパターン形成装置。
【００２３】
７．
前記制御部は、前記ライン状液体を形成する液滴の総液滴吐出量を変更せずに、前記算出部により算出された前記減少量を補うような前記補正液滴吐出条件データに基づく液滴吐出条件に変更することを特徴とする前記６記載のパターン形成装置。
【００２４】
８．
前記制御部は、前記ライン状液体を形成する液滴の総液滴吐出量を変更させて、前記算出部により算出された前記減少量を補うような前記補正液滴吐出条件データに基づく液滴吐出条件に変更することを特徴とする前記６記載のパターン形成装置。
【００２５】
９．
前記制御部は、前記吐出異常ノズルの液滴吐出量を減じるような前記補正液滴吐出条件データに基づく液滴吐出条件に変更することを特徴とする前記１〜４の何れかに記載のパターン形成装置。
【００２６】
１０．
前記制御部は、前記吐出異常ノズルに対応する前記基材上の画素に隣接する画素に対して液滴を付与するような前記補正液滴吐出条件データに基づく液滴吐出条件に変更することを特徴とする前記１〜９の何れかに記載のパターン形成装置。
【００２７】
１１．
ライン状液体を形成する液滴を吐出する前記液滴吐出装置を複数有し、
該制御部は、吐出異常ノズルが検出されたら、前記各液滴吐出装置の１又は複数のノズルの正常時の基本液滴吐出条件データに基づく液滴吐出条件を、補正液滴吐出条件データに基づく液滴吐出条件に変更することを特徴とする前記１〜１０の何れかに記載のパターン形成装置。
【００２８】
１２．
基材に対して複数のノズルを有する液滴吐出装置を相対移動させながら、前記液滴吐出装置のノズル列の方向に対して平行に配置される画素組に対して複数のノズルから付与される機能性材料を含む液滴組を、ノズル列の方向と交差する方向に複数組付与し、複数組の前記液滴組を合一させて、ノズル列の方向と交差する方向に伸びるライン状液体を形成し、形成された前記ライン状液体を乾燥させる際に、該ライン状液体の縁に前記機能性材料を堆積させて、該機能性材料を含むパターンを形成するパターン形成方法であって、
前記吐出異常ノズルが検出されたら、１又は複数のノズルの正常時の基本液滴吐出条件データに基づく液滴吐出条件を、補正液滴吐出条件データに基づく液滴吐出条件に変更することを特徴とすることを特徴とするパターン形成方法。
【００２９】
１３．
前記ライン状液体を、前記液滴吐出装置の相対移動方向に対して斜めに形成することを特徴とする前記１２記載のパターン形成方法。
【００３０】
１４．
前記複数の補正液滴吐出条件データの中から選定された補正液滴吐出条件データに基づく液滴吐出条件に変更することを特徴とする前記１２又は１３記載のパターン形成方法。
【００３１】
１５．
前記複数の補正液滴吐出条件データの各々を仮選定して前記パターンを形成し、最適な補正が成されたと判定された前記パターンに対応する補正液滴吐出条件データを本選定し、該本選定された補正液滴吐出条件データに基づく液滴吐出条件に変更することを特徴とする前記１４記載のパターン形成方法。
【００３２】
１６．
前記正常時にはライン状液体を構成しない画素に対して、液滴を着弾させるような前記補正液滴吐出条件データに基づく液滴吐出条件に変更することを特徴とする前記１２〜１５の何れかに記載のパターン形成方法。
【００３３】
１７．
前記吐出異常ノズルによる液滴付与量の減少量を算出し、前記算出された前記減少量を補うような前記補正液滴吐出条件データに基づく液滴吐出条件を変更することを特徴とする前記１２〜１６の何れかに記載のパターン形成方法。
【００３４】
１８．
前記ライン状液体を形成する液滴の総液滴吐出量を変更せずに、前記算出部により算出された前記減少量を補うような前記補正液滴吐出条件データに基づく液滴吐出条件に変更することを特徴とする前記１７に記載のパターン形成方法。
【００３５】
１９．
前記ライン状液体を形成する液滴の総液滴吐出量を変更させて、前記算出部により算出された前記減少量を補うような前記補正液滴吐出条件データに基づく液滴吐出条件に変更することを特徴とする前記１７に記載のパターン形成方法。
【００３６】
２０．
前記吐出異常ノズルの液滴吐出量を減じるような前記補正液滴吐出条件データに基づく液滴吐出条件に変更することを特徴とする前記１２〜１５の何れかに記載のパターン形成方法。
【００３７】
２１．
前記吐出異常ノズルに対応する前記基材上の画素に隣接する画素に対して液滴を付与するような前記補正液滴吐出条件データに基づく液滴吐出条件に変更することを特徴とする前記１２〜２０の何れかに記載のパターン形成方法。
【発明の効果】
【００３８】
本発明によれば、液滴吐出装置により形成されたライン状液体の縁部に機能性材料を堆積させてパターン形成する際に、吐出異常ノズルの発生によるパターンの形成異常を好適に補正できるパターン形成装置及びパターン形成方法を提供することができる。
【図面の簡単な説明】
【００３９】
【図１】ライン状液体から平行線パターンが形成される様子を概念的に説明する図
【図２】本発明のパターン形成方法を実施するためのパターン形成装置の一例を概念的に説明する図
【図３】パターンの形成異常を補正する動作を説明するフローチャート
【図４】正常時におけるパターン形成装置の動作の一例を説明する図
【図５】吐出異常ノズル発生時における液滴吐出条件の変更例を説明する図
【図６】正常時におけるパターン形成装置の動作の他の例を説明する図
【図７】吐出異常ノズル発生時における液滴吐出条件の変更例を説明する図
【図８】液滴吐出条件の変更例を説明する図
【図９】液滴吐出条件の変更例を説明する図
【図１０】液滴吐出条件の変更例を説明する図
【図１１】本発明のパターン形成方法を実施するためのパターン形成装置の他の例を概念的に説明する図
【図１２】液滴吐出条件の変更例を説明する図
【図１３】ノズル列を説明する図
【図１４】基材上に形成された平行線パターンの一例を示す一部切り欠き斜視図
【図１５】透明導電膜の例を説明する図
【発明を実施するための形態】
【００４０】
以下に、図面を参照して本発明を実施するための形態について説明する。
【００４１】
本発明では、基材に対して複数のノズルを有する液滴吐出装置を相対移動させながら、前記液滴吐出装置のノズル列の方向に対して平行に配置される画素組に対して複数のノズルから付与される機能性材料を含む液滴組を、ノズル列の方向と交差する方向に複数組付与し、複数組の前記液滴組を合一させて、ノズル列の方向と交差する方向に伸びるライン状液体を形成する。
次いで、形成された前記ライン状液体を乾燥させる際に、該ライン状液体の縁に前記機能性材料を堆積させて、該機能性材料を含むパターンを形成する。
【００４２】
ライン状液体から平行線パターンが形成される過程について、図１を参酌して説明する。
図１（ａ）に示すように、基材１上に、機能性材料を含むライン状液体２を付与する。
【００４３】
基材１上へのライン状液体２の付与は、液滴吐出装置を用いて行うことができる。液滴吐出装置は、例えば、インクジェット記録装置が備えるインクジェットヘッドにより構成することができる。
【００４４】
図１（ｂ）に示すように、機能性材料を含むライン状液体２を蒸発させ、乾燥させる際に、コーヒーステイン現象を利用して、ライン状液体２の長さ方向に沿う縁２１、２２に機能性材料を選択的に堆積させる。
【００４５】
コーヒーステイン現象は、ライン状液体２を乾燥させる際の条件設定により生起させることができる。即ち、基材１上に配置されたライン状液体２の乾燥は中央部２３と比べ縁２１、２２において速く、乾燥の進行と共に固形分濃度が飽和濃度に達し、ライン状液体２の縁２１、２２に機能性材料の局所的な堆積が起こる。この堆積した機能性材料によりライン状液体２の縁２１、２２が固定化された状態となり、それ以降の乾燥に伴うライン状液体２の幅方向の収縮が抑制される。ライン状液体２の液体は、縁２１、２２で蒸発により失った分の液体を補う様に中央部２３から縁２１、２２に向かう対流を形成する。この対流により、更なる機能性材料が縁２１、２２に運ばれ、更なる堆積を生じる。
【００４６】
この対流は、乾燥に伴うライン状液体２の接触線の固定化と、中央部２３と縁２１、２２の蒸発量の差に起因するものであり、固形分濃度、ライン状液体２と基材１の接触角、ライン状液体２の量、基材１の加熱温度、ライン状液体２の配置密度、または温度、湿度、気圧の環境因子に応じて変化する。従って、これらの条件を調整して、対流の形成を調整することは好ましいことである。
【００４７】
その結果、図１（ｃ）に示すように、基材１上に、機能性材料を含む細線からなる塗膜パターン（以下、平行線パターンという場合がある。）３が形成される。１本のライン状液体２から形成された平行線パターン３は、１組２本の線分（細線）３１、３２により構成されている。Ｉは細線３１、３２の配置間隔である。
【００４８】
本発明のパターン形成装置及びパターン形成方法は、上記のようなコーヒーステイン現象を利用したパターン形成のために好適に用いることができ、吐出異常ノズルの発生によるパターンの形成異常を好適に補正できる効果が得られる。
【００４９】
図２は、本発明のパターン形成方法を実施するためのパターン形成装置の一例を概念的に説明する図である。
【００５０】
４は液滴吐出装置、５は制御部、６は乾燥装置、７はイメージセンサー、８は搬送装置である。
【００５１】
搬送装置８は、基材１を所定方向に搬送可能に構成されている。ここでは、搬送装置８は、１対の搬送ローラー８１、８１と、１対の搬送ローラー８１、８１に掛け渡された搬送ベルト８２により構成されている。基材１は、搬送ベルト８２上に載置された状態で、矢印方向に搬送される。
【００５２】
基材１の搬送経路には、液滴吐出装置４が設けられている。基材１に対して液滴吐出装置４を相対移動させながら、該液滴吐出装置４から基材１上に機能性材料を含む複数の液滴を吐出して、複数の前記液滴を基材１上で合一させてライン状液体を形成することができる。ここでは、液滴吐出装置４としてラインヘッドを用い、基材１を搬送させることで、両者を相対移動するようにしている。液滴吐出装置４は、基材１上に、１回の走査（ワンパスともいう）でライン状液体を形成するように構成されることが好ましい。
【００５３】
液滴吐出装置４の液滴吐出条件は、制御部５によって制御されている。吐出異常ノズルが検出されない正常時において、液滴吐出条件は、正常時の基本液滴吐出条件データに基づいて決定されている。
【００５４】
液滴吐出装置４の搬送方向下流側には乾燥装置６が設けられている。乾燥装置６において、液滴吐出装置４により基材１上に形成されたライン状液体を乾燥させる際に、該ライン状液体の縁に機能性材料を堆積させて、該機能性材料を含むパターンを形成することができる。乾燥装置６としては、例えば、基材１上のライン状液体に温風を送風する温風送風装置などを好ましく用いることができる。また、更なる乾燥装置として、例えば、基材１を搬送ベルト８２の裏面側から加温するヒーター等を設けてもよい。
【００５５】
乾燥装置６の搬送方向下流側にはイメージセンサー７が設けられている。イメージセンサー７は、基材１上に形成されたパターンを撮像して撮像データを生成する。生成された撮像データは、制御部５に入力される。
【００５６】
制御部５は、イメージセンサー７から入力された撮像データを、予め記憶されている基本撮像データの撮像データと比較し、液滴吐出装置４における吐出異常ノズルの発生の有無を判定する。即ち、図示の例では、制御部５は、パターンの形成異常の有無に基づいて、吐出異常ノズルの有無を判定するように構成されている
【００５７】
制御部５は、吐出異常ノズルが発生したと判定した場合、パターンの形成異常を補正する動作を実行し、基本液滴吐出条件データに基づく液滴吐出条件を、補正液滴吐出条件データに基づく液滴吐出条件に変更する。
かかる補正動作の一例について、図３に示すフローチャートを用いて説明する。
【００５８】
吐出異常ノズルが発生したと判定された場合、制御部５は、吐出異常ノズルを検出する（Ｓ１）。
吐出異常ノズルを検出する手法は格別限定されないが、イメージセンサー７から入力された撮像データを、予め記憶されている基本撮像データと比較することにより、パターンの形成異常の発生位置を検出し、かかる発生位置に基づいて、吐出異常ノズルの発生位置を検出する手法を例示できる。
【００５９】
次いで、制御部５は、吐出異常ノズルについて、不吐出ノズルであるか否かを判定する（Ｓ２）。不吐出ノズルというのは、液滴を吐出できなくなったノズルである。
不吐出ノズルであるか否かを判定する手法は、格別限定されないが、イメージセンサー７から入力された撮像データを、予め記憶されている基本撮像データと比較することにより、吐出異常ノズルが不吐出ノズルであるか否かを判定する手法を例示できる。
【００６０】
吐出異常ノズルが不吐出ノズルであると判定された場合、制御部５は、算出部５１において、不吐出ノズルの発生による液滴吐出量の減少量を算出する（Ｓ３）。算出は、当該不吐出ノズルの正常時における１液滴容量や１画素当たりに付与する液滴数（階調数（drops per dot）［ｄｐｄ］）に基づいて算出することができる。
【００６１】
次いで、制御部５は、吐出異常ノズルの位置と、上記算出された減少量に対応付けられた補正液滴吐出条件データを不図示の記憶部から取得する（Ｓ４）。ここで、吐出異常ノズルが不吐出ノズルである場合、かかる補正液滴吐出条件データは、原則的には不吐出ノズルの発生による液滴吐出量の減少量を補うように、液滴吐出装置４の液滴吐出条件を変更（再設定）するためのデータである。
【００６２】
次いで、制御部５は、液滴吐出装置４の液滴吐出条件を、正常時の基本液滴吐出条件データに基づく条件から、補正液滴吐出条件データに基づく条件に変更（再設定）する（Ｓ５）。
【００６３】
一方、上記ステップＳ２において、吐出異常ノズルが不吐出ノズルでないと判定された場合、制御部５は、吐出異常ノズルの位置に対応付けられた補正液滴吐出条件データを記憶部から取得する（Ｓ６）。吐出異常ノズルが不吐出ノズルでない場合、かかる補正液滴吐出条件データは、例えば曲がり吐出ノズルの発生による影響を軽減するように、液滴吐出装置４の液滴吐出条件を変更（再設定）するためのデータである。液滴吐出装置４の液滴吐出条件を変更例に関しては後述する。
【００６４】
次いで、制御部５は、吐出異常ノズルが不吐出ノズルであると判定された場合と同様に、液滴吐出装置４の液滴吐出条件を、正常時の基本液滴吐出条件データに基づく条件から、補正液滴吐出条件データに基づく条件に変更（再設定）する（Ｓ５）。
【００６５】
以上のようにして、液滴吐出装置４の液滴吐出条件は、補正液滴吐出条件データに基づく条件に変更される。制御部５によって、液滴吐出装置４は、変更された液滴吐出条件で基材１上にライン状液体を形成するように駆動される。
【００６６】
以上の説明では、制御部５が、液滴吐出条件の変更のために、１つの補正液滴吐出条件データを取得する場合について示したが、複数の補正液滴吐出条件データを取得するように構成してもよい。
制御部５が、複数の補正液滴吐出条件データを取得する場合、制御部５は、これら補正液滴吐出条件データの中から１つの補正液滴吐出条件データを選定するように構成することができる。
【００６７】
補正液滴吐出条件データの選定に際して、制御部５は、複数の補正液滴吐出条件データの各々を仮選定してパターン（仮パターン）を形成し、最適な補正が成されたと判定された仮パターンに対応する補正液滴吐出条件データを本選定するように構成することが好ましい。
イメージセンサー７から入力された各仮パターンの撮像データを、予め記憶されている基本撮像データと比較した結果に基づいて、最適な補正を判定することができる。
【００６８】
上述した撮像データは、ライン状液体から形成された平行線パターンを構成する細線間の配置間隔Ｉ（図１（Ｃ）参照）を数値化した情報を含むことが好ましい。これにより、正常時の基本撮像データに含まれる配置間隔Ｉと、各仮パターンの撮像データに含まれる配置間隔Ｉとを比較し、その差が最も小さい仮パターンを最適な補正が成された仮パターンであると判定することができる。
【００６９】
上記のように複数の補正液滴吐出条件データの中から選定された補正液滴吐出条件データによって液滴吐出条件の変更を行うことにより、吐出異常ノズルの発生によるパターンの形成異常を更に好適に補正できるようになる。上述したコーヒーステイン現象は、基材の材質や環境因子等による影響を受け易いため、常に同一の補正液滴吐出条件が最適な補正を実現するとは限らないからである。
【００７０】
以上の説明では、制御部５が、記憶部から１又は複数の補正液滴吐出条件データを取得する場合について示したが、データ生成部で生成された１又は複数の補正液滴吐出条件データを取得するように構成してもよい。データ生成部は、吐出異常ノズルの位置や異常内容に基づいて１又は複数の補正液滴吐出条件データを生成するように構成することができる。
【００７１】
以上に説明した補正動作は、制御部により自動化されることが好ましいが、一部又は全部を作業者によって行うようにしてもよい。
【００７２】
以下に、吐出異常ノズルの発生によるパターンの形成異常を補正するための液滴吐出条件の変更例を挙げて、本発明について更に詳しく説明する。
【００７３】
まず、吐出異常ノズルがない正常時におけるパターン形成装置の動作の一例について、図４を用いて説明する。
【００７４】
図４（ａ）に示すように、液滴吐出装置４は、ここでは、方向Ｎに沿って一列に配置された複数のノズル９ａ〜９ｄからなるノズル列４０を有している。
【００７５】
基材１表面のパターン形成の対象となる領域は、図中に縦横のマス目で示すように、複数の画素により構成されている。
以下の説明において、画素ｘｙという場合、ｘは列を特定し、ｙは行を特定する。例えば画素ｄ４という場合、ｄ列４行の画素を指す。各々の行（画素行という場合がある）は、ノズル列４０の方向Ｎに対して平行な方向に並列する複数の画素により構成され、各々の列（画素列という場合がある）は、ノズル列４０の方向Ｎに対して直交する方向に並列する複数の画素により構成されている。
【００７６】
正常時において、制御部は、基本液滴吐出条件データに基づいて、液滴吐出装置４の液滴吐出条件を決定する。ここでは、制御部は、基本液滴吐出条件データに基づいて、液滴吐出装置４から液滴が付与される対象となる画素を選択すると共に、選択された各画素に対して、液滴吐出装置４から付与される液滴数、即ち階調数［ｄｐｄ］を決定している。
図４（ａ）において、マス目内に数字が付与されている画素が液滴付与対象画素であり、マス目内に付与された数字は当該画素の階調数を示している。階調数の大きさは、当該画素に付与される液滴量の大きさに対応する。
【００７７】
制御部は、決定された液滴吐出条件に基づいて、以下に説明するように、液滴吐出装置４の駆動を制御する。
【００７８】
図４（ｂ）に示すように、基材１に対して液滴吐出装置４を相対移動させながら、液滴吐出装置４から基材１上に、機能性材料を含む液滴２０を付与する。相対移動方向αは、ノズル列４０の方向Ｎに対して直交する方向に設定されている。
【００７９】
具体的には、相対移動の過程で、ノズル列４０の方向Ｎに対して平行に配置された複数の画素（ａ１、ｂ１、ｃ１、ｄ１）からなる画素組に対して、複数のノズル９ａ、９ｂ、９ｃ、９ｄの各々から液滴２０を付与する。画素組に対して付与されるこれら液滴２０を液滴組という場合がある。画素組を構成する各画素（ａ１、ｂ１、ｃ１、ｄ１）に対してノズル９ａ、９ｂ、９ｃ、９ｄを割り当てることにより、各画素（ａ１、ｂ１、ｃ１、ｄ１）に個別に液滴２０を付与することができる。
【００８０】
次に、液滴吐出装置４を１画素分だけ相対移動方向αに相対移動させたところで、ノズル列４０の方向Ｎに対して平行に配置された複数の画素（ａ２、ｂ２、ｃ２、ｄ２）からなる次の画素組に対して、複数のノズル９ａ、９ｂ、９ｃ、９ｄの各々から次の液滴２０、即ち次の液滴組を付与する。これを繰り返すことで、液滴組を、ノズル列４０の方向Ｎと交差する方向に複数組付与することができる。ここでは、液滴組を、ノズル列４０の方向Ｎと直交する方向に複数組付与している。
【００８１】
これら複数の液滴組を構成する液滴２０同士が合一されることによって、図４（ｃ）に示すように、ノズル列４０の方向Ｎと交差する方向に伸びるライン状液体２を形成することができる。
【００８２】
更に、乾燥装置においてライン状液体２を乾燥させる際に、ライン状液体２の縁に機能性材料を堆積させることによって、図４（ｄ）に示すように、該機能性材料を含む平行線パターン３を形成することができる。１本のライン状液体２から形成された平行線パターン３は、１組２本の線分（細線）３１、３２により構成されている。
【００８３】
ここでは、画素組を構成する画素数を４画素に設定しているが、これに限定されるものではなく、細線３１、３２が所望の配置間隔となるように適宜設定することができる。
【００８４】
次に、図４の例での吐出異常ノズル発生時における、ライン状液体の液滴を補正する液滴吐出条件の変更例について、図５を用いて説明する。
【００８５】
図５中、Ａは正常時の基本液滴吐出条件データに基づく液滴吐出条件を示している。Ｂは吐出異常ノズルの発生下における補正前の実際の吐出状態を示している。ここでは、ノズル９ｂが吐出異常ノズルの例である不吐出ノズルになっている。Ｃ１〜Ｃ３はそれぞれ変更候補としての補正液滴吐出条件データに基づく液滴吐出条件の例を示している。
【００８６】
液滴吐出条件Ｃ１〜Ｃ３は、ノズル９ｂに吐出異常が発生して液滴組を構成する液滴の一部が欠けたことに対応して、当該液滴組を構成する他の液滴の付与量（階調数）を変更するものである。原則的に各液滴組に付与される液滴数の合計は、正常時と同じになるように設定されている。即ち、不吐出ノズルによる液滴付与量の減少量（３液滴分）を補うように、液滴付与量を増加させている。ここでは、減少量と、１又は複数のノズルの液滴吐出量の総増加量を等しくするように設定している。
【００８７】
液滴吐出条件Ｃ１は、吐出異常ノズルではないノズル９ａ、９ｃ、９ｄの階調数を全画素行に亘って３［ｄｐｄ］から４［ｄｐｄ］に増加させている。このように、吐出異常ノズルではないノズル９ａ、９ｃ、９ｄの階調数を所定数（ここでは１［ｄｐｄ］）ずつ均等に増加させるようにしてもよい。
【００８８】
液滴吐出条件Ｃ２は、ノズル９ａの階調数を全画素行に亘って３［ｄｐｄ］から５［ｄｐｄ］に増加させ、ノズル９ｃの階調数を全画素行に亘って３［ｄｐｄ］から４［ｄｐｄ］に増加させ、ノズル９ｄの階調数を全画素行に亘って３［ｄｐｄ］のまま維持している。このように、吐出異常ノズルではないノズル９ａ、９ｃ、９ｄの階調数を不均等に増加させるようにしてもよい。
【００８９】
液滴吐出条件Ｃ３は、ノズル９ａの階調数を全画素行に亘って３［ｄｐｄ］から５［ｄｐｄ］に増加させ、ノズル９ｃの階調数を全画素行に亘って３［ｄｐｄ］から５［ｄｐｄ］に増加させ、ノズル９ｄの階調数を全画素行に亘って３［ｄｐｄ］から２［ｄｐｄ］に減少させている。このように、吐出異常ノズルではないノズル９ａ、９ｃ、９ｄのうち一部のノズル９ｄの階調数を減少させるようにしてもよい。
【００９０】
これらの液滴吐出条件の中で最適な補正が成されたと判定されたものを、本選定することができる。
【００９１】
以上に説明したように、液滴吐出装置４のノズル列４０に対して平行に配置される画素組に対して複数のノズルから付与される液滴組を、ノズル列４０と交差する方向に複数組付与し、複数組の前記液滴組を合一させて、ノズル列４０と交差する方向に伸びるライン状液体を形成することができる。これにより形成されるライン状液体は、該ライン状液体の長さ方向に沿って付与された複数の液滴同士を合一させたものであると共に、該ライン状液体の長さ方向と交差する方向に沿って付与された複数の液滴（液滴組）を合一させたものである。そのため、何れかのノズルに吐出異常が発生して液滴組を構成する液滴の一部が欠けたとしても、当該液滴組を構成する他の液滴の付与量（階調数）を変更することにより、正常時のライン状液体の形状を復元し易い効果が得られる。このことも、パターンの形成異常を好適に補正する効果に大きく寄与する。
【００９２】
また、画素組に対して液滴組を付与する構成を有することにより、吐出異常ノズルの発生により画素組内に液滴が正常に付与されない画素が生じた場合に、液滴吐出条件の変更により、当該画素組を構成する画素及び又は当該画素組に隣接する画素に対する液滴吐出条件を変更することができる。このことも、正常時のライン状液体の形状を復元し易くし、パターンの形成異常を好適に補正する効果に大きく寄与する。
【００９３】
以上の説明では、ライン状液体を、液滴吐出装置の相対移動方向αに沿って形成する場合について示したが、これに限定されるものではない。例えば、ライン状液体を、液滴吐出装置の相対移動方向αに対して斜めに形成することも好ましいことである。これについて、正常時の動作を、図６を参照して説明する。
【００９４】
図６（ａ）に示すように、液滴吐出装置４は、ここでは、方向Ｎに沿って一列に配置された複数のノズル９ａ〜９ｊからなるノズル列４０を有している。
【００９５】
正常時において、制御部は、液滴吐出条件として、液滴吐出装置４から液滴が付与される対象となる画素を選択すると共に、選択された各画素に対して、液滴吐出装置４から付与される液滴数、即ち階調数［ｄｐｄ］を決定している。
【００９６】
制御部は、決定された液滴吐出条件に基づいて、以下に説明するように、液滴吐出装置４の駆動を制御する。
【００９７】
図６（ｂ）に示すように、基材１に対して液滴吐出装置４を相対移動させながら、液滴吐出装置４から基材１上に、機能性材料を含む液滴２０を吐出する。相対移動方向αは、ノズル列４０の方向Ｎに対して直交する方向に設定されている。
【００９８】
かかる相対移動の過程で、ノズル列４０の方向Ｎに対して平行に配置された複数の画素（ａ１、ｂ１、ｃ１）からなる画素組に対して、複数のノズル９ａ、９ｂ、９ｃの各々から液滴２０、即ち液滴組を付与する。
【００９９】
次に、液滴吐出装置４を１画素分だけ相対移動方向αに相対移動させたところで、ノズル列４０の方向Ｎに対して平行に配置された複数の画素（ｂ２、ｃ２、ｄ２）からなる次の画素組に対して、複数のノズル９ｂ、９ｃ、９ｄの各々から次の液滴２０、即ち次の液滴組を付与する。これを繰り返すことで、液滴組を、ノズル列４０の方向Ｎに対して斜め方向に複数組付与している。
【０１００】
即ち、図示の例では、液滴２０の付与対象となる画素組を選択する際に、先に選択された画素組を構成する各画素に対して、ノズル列の方向Ｎに所定画素数（図示の例では１画素）ずれるように、次の行を構成する画素の中から、次の画素組を選択している。
【０１０１】
これら複数の液滴組を構成する液滴２０同士が合一されることによって、図６（ｃ）に示すように、ノズル列４０の方向Ｎに対して斜め方向、即ち液滴吐出装置４の相対移動方向に対して斜め方向に伸びるライン状液体２を形成することができる。
【０１０２】
更に、乾燥装置においてライン状液体２を乾燥させる際に、ライン状液体２の縁に機能性材料を堆積させることによって、図６（ｄ）に示すように、該機能性材料を含む平行線パターン３を形成することができる。１本のライン状液体２から形成された平行線パターン３は、１組２本の線分（細線）３１、３２により構成されている。平行線パターン３は、液滴吐出装置４の相対移動方向に対して斜めに形成されている。ここでは、ライン状液体２を、液滴吐出装置の相対移動方向αに対して４５°傾斜する方向に形成する場合について示したが、傾斜角度はこれに限定されるものではない。
【０１０３】
ここでは、画素組を構成する画素数を３画素に設定しているが、これに限定されるものではなく、細線３１、３２が所望の配置間隔となるように適宜設定することができる。
【０１０４】
次に、図６の例での吐出異常ノズル発生時における液滴吐出条件の変更例について、図７を用いて説明する。
【０１０５】
図７中、Ａは正常時の基本液滴吐出条件データに基づく液滴吐出条件を示している。Ｂは吐出異常ノズルの発生下における補正前の実際の吐出状態を示している。ここでは、ノズル９ｃが吐出異常ノズルの例である不吐出ノズルになっている。Ｄ１、Ｄ２はそれぞれ変更候補としての補正液滴吐出条件データに基づく液滴吐出条件例を示している。
【０１０６】
液滴吐出条件Ｄ１、Ｄ２は、ノズル９ｃに吐出異常が発生して、液滴組を構成する液滴の一部が欠けたことに対応して、当該液滴組を構成する他の液滴の付与量（階調数）を変更するものである。
各液滴組に付与される液滴数の合計は、正常時と同じになるように設定されている。即ち、不吐出ノズルによる液滴付与量の減少量を補うように、液滴付与量を増加させている。ここでは、減少量と、１又は複数のノズルの液滴吐出量の総増加量を等しくするように設定している。
【０１０７】
液滴吐出条件Ｄ１は、ノズル９ｃに吐出異常が発生して、液滴組を構成する液滴の一部が欠けたことに対応して、当該液滴組を構成する液滴のうち、液滴付与が欠落した画素（欠落画素という場合がある）に隣接する画素に対する階調数を増加させるように、ノズル９ｂ、９ｄの吐出量を設定している。
【０１０８】
液滴吐出条件Ｄ２は、ノズル９ｃに吐出異常が発生して液滴組を構成する液滴の一部が欠けたことに対応して、当該液滴組を構成する液滴のうち、液滴付与が欠落した画素（欠落画素という場合がある）に隣接する画素と、該画素に更に隣接する画素に対する階調数を増加させるように、ノズル９ａ、９ｂ、９ｄ、９ｅの吐出量を設定している。
【０１０９】
これらの液滴吐出条件の中で最適な補正が成されたと判定されたものを、本選定する。
【０１１０】
以上に説明したように、ライン状液体を、液滴吐出装置の相対移動方向αに対して斜めに形成する場合においても、液滴吐出装置４のノズル列４０に対して平行に配置される画素組に対して複数のノズルから付与される液滴組を、ノズル列４０と交差する方向に複数組付与し、複数組の前記液滴組を合一させて、ノズル列４０と交差する方向に伸びるライン状液体を形成することができる。
これにより形成されるライン状液体は、該ライン状液体の長さ方向に沿って付与された複数の液滴同士を合一させたものであると共に、該ライン状液体の長さ方向と交差する方向に沿って付与された複数の液滴（液滴組）を合一させたものでもある。そのため、何れかのノズルに吐出異常が発生して液滴組を構成する液滴の一部が欠けたとしても、当該液滴組を構成する他の液滴の付与量（階調数）を変更することにより、正常時のライン状液体の形状を復元し易い効果が得られる。このことも、パターンの形成異常を好適に補正する効果に大きく寄与する。
【０１１１】
また、画素組に対して液滴組を付与する構成を有することにより、吐出異常ノズルの発生により画素組内に液滴が正常に付与されない画素が生じた場合に、液滴吐出条件の変更により、当該画素組を構成する画素及び又は当該画素組に隣接する画素に対する液滴吐出条件を変更することができる。このことも、パターンの形成異常を好適に補正する効果に大きく寄与する。
【０１１２】
以上の説明では、何れかのノズルに吐出異常が発生して液滴組を構成する液滴の一部が欠けた場合に、当該液滴組を構成する他の液滴の付与量（階調数）を変更して補正することを原則とする。これらとは別に、正常時には液滴を着弾させない画素、即ち正常時において液滴組を構成しない画素に対して、液滴を着弾させて、ライン状液体の液滴を補正することもできる。これについて、図８を参照して説明する。
【０１１３】
図８中、Ａは正常時の基本液滴吐出条件データに基づく液滴吐出条件を示している。Ｂは吐出異常ノズルの発生下における補正前の実際の吐出状態を示している。ここでは、ノズル９ｃが吐出異常ノズルの例である不吐出ノズルになっている。Ｅ１は変更候補としての補正液滴吐出条件データに基づく液滴吐出条件を示している。
【０１１４】
液滴吐出条件Ｅ１は、ノズル９ｃに吐出異常が発生して液滴組を構成する液滴の一部が欠けたことに対応して、正常時には液滴を着弾させない画素（ｄ１、ｂ３）、即ち正常時において液滴組を構成しない画素に対して、液滴を着弾させるように、ノズル９ｂ、９ｄの吐出条件を変更している。ここでは、前記「液滴組を構成しない画素」として、液滴組を構成する画素に隣接する画素が選択されている。
【０１１５】
吐出異常ノズル以外の正常ノズルによって液滴組を構成する液滴の一部が存在することによって、液滴組を構成しない画素に付与された液滴は、合一に際して液滴組側に引き込まれる。そのため、正常時のライン状液体の形状を復元し易い効果が得られる。
【０１１６】
以上の説明では、不吐出ノズルによる液滴付与量の減少量と、１又は複数のノズルの液滴吐出量の総増加量を等しくするように設定する場合について示したが、これに限定されるものではない。例えば、前記減少量に対して前記総増加量を異なる値に設定することも好ましいことである。これについて、図９を参照して説明する。
【０１１７】
図９中、Ａは正常時の基本液滴吐出条件データに基づく液滴吐出条件を示している。Ｂは吐出異常ノズルの発生下における補正前の実際の吐出状態を示している。ここでは、ノズル９ｂが吐出異常ノズルの例である不吐出ノズルになっている。Ｆ１、Ｆ２は変更候補としての補正液滴吐出条件データに基づく液滴吐出条件を示している。
【０１１８】
Ｂに示すように、不吐出ノズルによる液滴付与量の減少量は１画素行あたり３液滴である。
【０１１９】
液滴吐出条件Ｆ１、Ｆ２は、不吐出ノズルによる液滴付与量の減少量（１画素行あたり３液滴）と、１又は複数のノズルの液滴吐出量の総増加量を異なる値に設定している。
【０１２０】
液滴吐出条件Ｆ１は、吐出異常ノズルではないノズル９ａ、９ｃ、９ｄの全部について、全画素行に亘って階調数を増加させている。具体的には、ノズル９ａの階調数は３［ｄｐｄ］から５［ｄｐｄ］に増加され、ノズル９ｃ、９ｄの階調数は３［ｄｐｄ］から４［ｄｐｄ］に増加されている。従って、１画素行あたりの液滴の総増加量は４液滴である。従って、不吐出ノズルによる液滴付与量の減少量である３液滴よりも大きい値に設定している。
【０１２１】
液滴吐出条件Ｆ２は、吐出異常ノズルではないノズル９ａ、９ｃ、９ｄのうち一部のノズル９ａ、９ｃについて、全画素行に亘って階調数を増加させている。具体的には、ノズル９ａ、９ｃの階調数は３［ｄｐｄ］から４［ｄｐｄ］に増加されている。従って、１画素行あたりの液滴の総増加量は２液滴である。従って、不吐出ノズルによる液滴付与量の減少量である３液滴よりも小さい値に設定している。
【０１２２】
上述したように、コーヒーステイン現象は、基材の材質や環境因子等による影響を受け易いため、不吐出ノズルによる液滴付与量の減少量と、１又は複数のノズルの液滴吐出量の総増加量を異なる値に設定する液滴吐出条件も、場合によっては最適補正を実現し得る。そのため、このような液滴吐出条件も、変更候補として用いることができる。
【０１２３】
以上の具体例では、主に吐出異常ノズルが不吐出ノズルである場合について示したが、対象となるノズル異常は、これに限定されるものではない。例えば、吐出異常ノズルが曲がり吐出ノズルである場合においても、形成されるパターンの異常を好適に補正できる。「曲がり吐出ノズル」というのは、液滴の着弾位置が正常時の位置と異なるノズルを意味する。これについて、図１０を参照して説明する。
【０１２４】
図１０中、Ａは正常時の基本液滴吐出条件データに基づく液滴吐出条件を示している。Ｂは吐出異常ノズルの発生下における補正前の実際の吐出状態を示している。ここでは、ノズル９ｃが吐出異常ノズルの例である曲がり吐出ノズルになっている。Ｇ１、Ｇ２は変更候補としての補正液滴吐出条件データに基づく液滴吐出条件を示している。
【０１２５】
マス目内の数字に「＊」を付加した画素は、当該ノズル９ｃに対応する画素である。
【０１２６】
液滴吐出条件Ｇ１は、曲がり吐出ノズルであるノズル９ｃからの液滴吐出量を変更せずに、他のノズル９ａ、９ｂ、９ｄ、９ｅの液滴吐出量を変更している。ここでは、曲がり吐出ノズル以外ノズル９ａ、９ｂ、９ｄ、９ｅの液滴吐出量の合計を原則的に変更していないが、曲がり吐出方向、及び量を考慮して個別具体的に変更設定する。
【０１２７】
液滴吐出条件Ｇ２は、曲がり吐出ノズルであるノズル９ｃからの液滴吐出量を減少させている。この減少量を補うように、他のノズル９ｂ、９ｄの液滴吐出量を増加させている。ここでは、前記減少量に対して、他のノズル９ａ、９ｂ、９ｄの液滴吐出量の総増加量を同じ値に設定しているが、異なる値に設定してもよい。
【０１２８】
このような液滴吐出条件により、曲がり吐出ノズルの発生時においても、形成されるパターンの異常を補正することができる。特に、曲がり吐出ノズルから曲がって吐出される液滴の着弾位置を正確に把握できない場合においても、その影響を軽減して、パターンの異常を補正することができる。曲がり吐出ノズルが発生した場合に、液滴吐出条件の候補を複数用いて、最適補正を実現する条件を選定することは特に好ましいことである。
【０１２９】
図１１は、本発明のパターン形成方法を実施するためのパターン形成装置の他の例を概念的に説明する図である。
【０１３０】
図示の例において、パターン形成装置は２つの液滴吐出装置４、４’を備えている。
【０１３１】
基材１は、第１液滴吐出装置４、第２液滴吐出装置４’、乾燥装置６の順に搬送されるように構成されている。液滴吐出装置４、４’の液滴吐出条件は、制御部５によって制御されている。吐出異常ノズルが検出されない正常時において、液滴吐出条件は、基本液滴吐出条件データに基づいて決定されている。
【０１３２】
制御部５は、吐出異常ノズルが発生したと判定した場合、第１液滴吐出装置４及び第２液滴吐出装置４’の何れか又は両方の液滴吐出条件を変更して、パターンの形成異常を補正するように構成することができる。このような液滴吐出条件の変更例について、図１２を参照して説明する。
【０１３３】
図１２に示すように、第１液滴吐出装置４は、ノズル９ａ、９ｂ、９ｃ、９ｄを備えている。第２液滴吐出装置４’は、ノズル９’ａ、９’ｂ、９’ｃ、９’ｄを備えている。液滴吐出装置４、４’をラインヘッドにより構成する場合、第２液滴吐出装置４’のノズル９’ａ、９’ｂ、９’ｃ、９’ｄは、それぞれ第１液滴吐出装置４のノズル９ａ、９ｂ、９ｃ、９ｄの基材搬送方向の延長線上に設ける。基材１に対して、第１液滴吐出装置４が相対移動方向αに向けて走査され、次いで、第２液滴吐出装置４’が相対移動方向αに向けて走査されるようにしている。
【０１３４】
Ａは正常時の基本液滴吐出条件データに基づく第１液滴吐出装置４の液滴吐出条件を示しており、Ａ’は正常時の基本液滴吐出条件データに基づく第２液滴吐出装置４’の液滴吐出条件を示している。ここでは、第２液滴吐出装置４’は、補正専用の液滴吐出装置として用いられる。正常時においては、第１液滴吐出装置４を駆動させて液滴吐出を行い、ライン状液体を形成するようにしている。
【０１３５】
Ｂは吐出異常ノズルの発生下における補正前の第１液滴吐出装置４の実際の吐出状態を示しており、Ｂ’は吐出異常ノズルの発生下における補正前の第２液滴吐出装置４’の実際の吐出状態を示している。ここでは、第１液滴吐出装置４のノズル９ｃが不吐出ノズルになっている。
【０１３６】
Ｈ１、Ｈ１’は、それぞれ液滴吐出装置４、４’のための変更候補としての液滴吐出条件セットを示している。同様に、Ｈ２、Ｈ２’は、他の液滴吐出条件セットを示している。
Ｈ１、Ｈ１’、Ｈ２、Ｈ２’は変更候補としての補正液滴吐出条件データに基づく液滴吐出条件を示している。
【０１３７】
液滴吐出条件セットＨ１、Ｈ１’は、第１液滴吐出装置４の液滴吐出は変更せず、第２液滴吐出装置４’の液滴吐出を変更するようにしている。
具体的には、第１液滴吐出装置４において吐出異常ノズルが発生したことにより液滴が付与されなくなった画素に対して、第２液滴吐出装置４’によって液滴を付与するように、第２液滴吐出装置４’のノズル９’ｃの液滴吐出を変更している。
【０１３８】
液滴吐出条件セットＨ２、Ｈ２’は、第１液滴吐出装置４の液滴吐出を変更すると共に、第２液滴吐出装置４’の液滴吐出を変更するようにしている。
具体的には、第１液滴吐出装置４によって液滴が付与されなくなった画素に対して、第２液滴吐出装置４’によって液滴を付与するようにしているのは、液滴吐出条件セットＨ１、Ｈ１’と同様である。
液滴吐出条件セットＨ２、Ｈ２’では、更に、第１液滴吐出装置４における正常ノズル９ａ、９ｂ、９ｄの液滴吐出量を減少させ、画素に付与される液滴付与量を減少させると共に、第２液滴吐出装置４’によって、これらの画素に対する上記減少分に対応する液滴付与を行うようにノズル９’ａ、９’ｂ、９’ｄの液滴吐出を変更している。このようにすることで、基材１が第１液滴吐出装置４から第２液滴吐出装置４’に搬送される過程でライン状液体の乾燥が進行していても、再度ライン状液体を潤して、より好適な状態で乾燥を進めることができる。
【０１３９】
本態様では、第１液滴吐出装置４で形成されたライン状液体が完全に乾燥する前に、第２液滴吐出装置４’からの液滴付与を行うようにすることが好ましい。本態様においては、基材１が第１液滴吐出装置４から第２液滴吐出装置４’に搬送される過程でのライン状液体の乾燥を抑制する観点で、当該搬送過程におけるライン状液体を加熱しないように構成することも好ましい。
【０１４０】
以上のように、パターン形成装置が２つの液滴吐出装置４、４’を備える場合は、第１液滴吐出装置４の下流、且つ第２液滴吐出装置４’の上流において、第１液滴吐出装置４において形成されたライン状液体の撮像を行うイメージセンサーを設けることも好ましいことである。制御部５は、かかるイメージセンサーで生成された撮像データを、予め記憶されているライン状液体の基本撮像データと比較した結果に基づいて、液滴吐出装置４における吐出異常ノズルの発生の有無を判定することができる。これにより、ライン状液体の形成異常部が、乾燥装置６に導入される前に、第２液滴吐出装置４’によって前記異常部の補正を行うことができる。
【０１４１】
以上の説明では、ライン状液体の形成異常や、ライン状液体から形成されたパターンの形成異常に基づいて、吐出異常ノズルの検出等を行う場合について説明したが、これに限定されず、吐出異常ノズルの検出は自体公知の方法を用いて行うことができる。
【０１４２】
例えば、液滴吐出装置からの液滴吐出を直接モニタリングして吐出異常ノズルの検出を行うことも好ましい。これにより、液滴吐出装置４における吐出異常ノズルに起因するライン状液体の形成異常部が、乾燥装置６に導入される前に、第２液滴吐出装置４’によって前記異常部を補正する場合等に、迅速に対応できるようになる。
【０１４３】
以上の説明では、液滴吐出装置をラインヘッドにより構成し、基材を搬送することによって両者を相対移動させる場合について示したが、これに限定されず、基材及び液滴吐出装置の少なくとも一方を移動することにより、基材に対して液滴吐出装置を相対移動させることができる。例えば、基材を固定し、液滴吐出装置を移動することによって両者を相対移動させてもよい。相対移動方向αは、基材から見た液滴吐出装置の相対速度ベクトルの方向であり得る。
【０１４４】
以上の説明では、液滴吐出装置が、一列に配置された複数のノズルを有する場合について示したが、必ずしもこれに限定されるものではない。例えば、図１３に示すように、液滴吐出装置４は、複数列に配置された複数のノズルを有するものであってもよい。この場合、ノズル列の方向は、これら複数のノズルの全体的な配列方向Ｎに対応する。
【０１４５】
液滴吐出装置から基材に吐出される液体に含有される機能性材料は、格別限定されず、基材に所望の機能を付与するための材料ということができる。例えば、基材に導電性パターンを形成する場合、機能性材料として導電性材料を用いることができ、また、基材に絶縁性パターンを形成する場合には、機能性材料として絶縁性材料を用いることができる。
【０１４６】
例えば、導電性材料、絶縁性材料、半導体材料、光学フィルター材料、誘電体材料等や、あるいは適宜処理を施すことによってこれらの材料に変化させることができる材料（前駆体ともいう）を機能性材料として好適に用いることができる。機能性材料として、導電性材料または導電性材料前駆体を用いることは特に好ましいことである。
【０１４７】
導電性材料としては、例えば、導電性微粒子、導電性ポリマー等を好ましく例示できる。
【０１４８】
導電性微粒子としては、格別限定されないが、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等の微粒子を好ましく例示でき、中でも、Ａｕ、Ａｇ、Ｃｕのような金属微粒子を用いると、電気抵抗が低く、かつ腐食に強い回路パターンを形成することができるので、より好ましい。コスト及び安定性の観点から、Ａｇを含む金属微粒子が最も好ましい。これらの金属微粒子の平均粒子径は、好ましくは１〜１００ｎｍの範囲、より好ましくは３〜５０ｎｍの範囲とされる。
【０１４９】
また、導電性微粒子として、カーボン微粒子を用いることも好ましい。カーボン微粒子としては、グラファイト微粒子、カーボンナノチューブ、フラーレン等を好ましく例示できる。
【０１５０】
導電性ポリマーとしては、格別限定されないが、π共役系導電性高分子を好ましく挙げることができる。
【０１５１】
π共役系導電性高分子としては、特に限定されず、ポリチオフェン類、ポリピロール類、ポリインドール類、ポリカルバゾール類、ポリアニリン類、ポリアセチレン類、ポリフラン類、ポリパラフェニレン類、ポリパラフェニレンビニレン類、ポリパラフェニレンサルファイド類、ポリアズレン類、ポリイソチアナフテン類、ポリチアジル類等の鎖状導電性ポリマーを利用することができる。中でも、高い導電性が得られる点で、ポリチオフェン類やポリアニリン類が好ましい。ポリエチレンジオキシチオフェンであることが最も好ましい。
【０１５２】
導電性ポリマーは、より好ましくは、上述したπ共役系導電性高分子とポリアニオンとを含んで成ることである。こうした導電性ポリマーは、π共役系導電性高分子を形成する前駆体モノマーを、適切な酸化剤と酸化触媒と、ポリアニオンの存在下で化学酸化重合することによって容易に製造できる。
【０１５３】
ポリアニオンは、置換若しくは未置換のポリアルキレン、置換若しくは未置換のポリアルケニレン、置換若しくは未置換のポリイミド、置換若しくは未置換のポリアミド、置換若しくは未置換のポリエステル及びこれらの共重合体であって、アニオン基を有する構成単位とアニオン基を有さない構成単位とからなるものである。
【０１５４】
このポリアニオンは、π共役系導電性高分子を溶媒に可溶化させる可溶化高分子である。また、ポリアニオンのアニオン基は、π共役系導電性高分子に対するドーパントとして機能して、π共役系導電性高分子の導電性と耐熱性を向上させる。
【０１５５】
ポリアニオンのアニオン基としては、π共役系導電性高分子への化学酸化ドープが起こりうる官能基であればよいが、中でも、製造の容易さ及び安定性の観点からは、一置換硫酸エステル基、一置換リン酸エステル基、リン酸基、カルボキシ基、スルホ基等が好ましい。さらに、官能基のπ共役系導電性高分子へのドープ効果の観点より、スルホ基、一置換硫酸エステル基、カルボキシ基がより好ましい。
【０１５６】
ポリアニオンの具体例としては、ポリビニルスルホン酸、ポリスチレンスルホン酸、ポリアリルスルホン酸、ポリアクリル酸エチルスルホン酸、ポリアクリル酸ブチルスルホン酸、ポリ−２−アクリルアミド−２−メチルプロパンスルホン酸、ポリイソプレンスルホン酸、ポリビニルカルボン酸、ポリスチレンカルボン酸、ポリアリルカルボン酸、ポリアクリルカルボン酸、ポリメタクリルカルボン酸、ポリ−２−アクリルアミド−２−メチルプロパンカルボン酸、ポリイソプレンカルボン酸、ポリアクリル酸等が挙げられる。これらの単独重合体であってもよいし、２種以上の共重合体であってもよい。
【０１５７】
また、化合物内にＦ（フッ素原子）を有するポリアニオンであってもよい。具体的には、パーフルオロスルホン酸基を含有するナフィオン（Ｄｕｐｏｎｔ社製）、カルボン酸基を含有するパーフルオロ型ビニルエーテルからなるフレミオン（旭硝子社製）等を挙げることができる。
【０１５８】
これらのうち、スルホン酸を有する化合物であると、インクジェット印刷方式を用いた際にインク射出安定性が特に良好であり、かつ高い導電性が得られることから、より好ましい。
【０１５９】
さらに、これらの中でも、ポリスチレンスルホン酸、ポリイソプレンスルホン酸、ポリアクリル酸エチルスルホン酸、ポリアクリル酸ブチルスルホン酸が好ましい。これらのポリアニオンは、導電性に優れるという効果を奏する。
【０１６０】
ポリアニオンの重合度は、モノマー単位が１０〜１０００００個の範囲であることが好ましく、溶媒溶解性及び導電性の点からは、５０〜１００００個の範囲がより好ましい。
【０１６１】
導電性ポリマーは市販の材料も好ましく利用できる。例えば、ポリ（３，４−エチレンジオキシチオフェン）とポリスチレンスルホン酸からなる導電性ポリマー（ＰＥＤＯＴ／ＰＳＳと略す）が、Ｈ．Ｃ．Ｓｔａｒｃｋ社からＣＬＥＶＩＯＳシリーズとして、Ａｌｄｒｉｃｈ社からＰＥＤＯＴ−ＰＳＳ４８３０９５、５６０５９８として、Ｎａｇａｓｅ  Ｃｈｅｍｔｅｘ社からＤｅｎａｔｒｏｎシリーズとして市販されている。また、ポリアニリンが、日産化学社からＯＲＭＥＣＯＮシリーズとして市販されている。
【０１６２】
ライン状液体を形成する際に用いる、機能性材料を含有させる液体としては、水や、有機溶剤等の１種又は２種以上を組み合わせて用いることができる。
【０１６３】
有機溶剤は、格別限定されないが、例えば、１，２−ヘキサンジオール、２−メチル−２，４−ペンタンジオール、１，３−ブタンジオール、１，４−ブタンジオール、プロピレングリコールなどのアルコール類、ジエチレングリコールモノメチルエーテル、ジエチレングリコールモノエチルエーテル、ジエチレングリコールモノブチルエーテル、トリエチレングリコールモノメチルエーテル、ジプロピレングリコールモノメチルエーテル、ジプロピレングリコールモノエチルエーテルなどのエーテル類等を例示できる。
【０１６４】
また、機能性材料を含有させる液体には、界面活性剤など種々の添加剤を含有させてもよい。
【０１６５】
界面活性剤を用いることで、例えば、インクジェット法などの液滴吐出法を用いてライン状液体を形成するような場合などに、表面張力等を調整して吐出の安定化を図ること等が可能になる。界面活性剤としては、格別限定されないが、シリコン系界面活性剤等を用いることができる。シリコン系界面活性剤とはジメチルポリシロキサンの側鎖または末端をポリエーテル変性したものであり、例えば、信越化学工業製のＫＦ−３５１Ａ、ＫＦ−６４２やビッグケミー製のＢＹＫ３４７、ＢＹＫ３４８などが市販されている。界面活性剤の添加量は、ライン状液体２を形成する液体の全量に対して、１重量％以下であることが好ましい。
【０１６６】
液滴吐出装置から基材に吐出される液体における機能性材料の濃度範囲は、０．０１［ｗｔ％］以上１．０［ｗｔ％］以下の範囲に調整されることが好ましい。これにより、細線３１、３２の形成を更に安定化できる。
【０１６７】
基材は、格別限定されないが、例えば、ガラス、プラスチック（ポリエチレンテレフタレート、ポリブチレンテレフタレート、ポリエチレン、ポリプロピレン、アクリル、ポリエステル、ポリアミド等）、金属（銅、ニッケル、アルミ、鉄等や、あるいは合金）、セラミックなどを挙げることができ、これらは単独で用いてもよいし、貼り合せた状態で用いてもよい。中でも、プラスチックが好ましく、ポリエチレンテレフタレートや、ポリエチレン、ポリプロピレンのようなポリオレフィンなどが好適である。
【０１６８】
図１４は、基材上に形成された平行線パターンの一例を示す一部切り欠き斜視図であり、断面は、平行線パターンの形成方向に対して直交する方向で切断した縦断面に対応する。
【０１６９】
１本のライン状液体から生成される平行線パターン３の１組２本の細線（線分）３１、３２は、必ずしも互いに完全に独立した島状である必要はない。図示したように、２本の線分３１、３２は、該線分３１、３２間に亘って、該線分３１、３２の高さよりも低い高さで形成された薄膜部３０によって接続された連続体として形成されることも好ましいことである。
【０１７０】
平行線パターン３の線分３１、３２の線幅Ｗ１、Ｗ２は、各々１０μｍ以下であることが好ましい。１０μｍ以下であれば、通常視認できないレベルとなるので、透明性を向上する観点からより好ましい。各線分３１、３２の安定性も考慮すると、各線分３１、３２の線幅Ｗ１、Ｗ２は、各々２μｍ以上１０μｍ以下の範囲であることが好ましい。
【０１７１】
なお、線分３１、３２の幅Ｗ１、Ｗ２とは、該線分３１、３２間において機能性材料の厚みが最薄となる最薄部分の高さをＺとし、更に該Ｚからの線分３１、３２の突出高さをＹ１、Ｙ２としたときに、Ｙ１、Ｙ２の半分の高さにおける線分３１、３２の幅として定義される。例えば、パターン３が上述した薄膜部３０を有する場合は、該薄膜部３０における最薄部分の高さをＺとすることができる。なお、各線分３１、３２間における機能性材料の最薄部分の高さが０であるときは、線分３１、３２の線幅Ｗ１、Ｗ２は、基材１表面からの線分３１、３２の高さＨ１、Ｈ２の半分の高さにおける線分３１、３２の幅と定義される。
【０１７２】
平行線パターン３を構成する線分３１、３２の線幅Ｗ１、Ｗ２は、上述した通り極めて細いものであるため、断面積を確保して低抵抗化を図る観点で、基材１表面からの線分３１、３２の高さＨ１、Ｈ２は高い方が望ましい。具体的には、線分３１、３２の高さＨ１、Ｈ２は、５０ｎｍ以上５μｍ以下の範囲であることが好ましい。
【０１７３】
更に、平行線パターン３の安定性を向上する観点から、Ｈ１／Ｗ１比、Ｈ２／Ｗ２比は、各々０．０１以上１以下の範囲であることが好ましい。
【０１７４】
また、平行線パターン３の細線化を更に向上する観点から、線分３１、３２間において機能性材料の厚みが最薄となる最薄部分の高さＺ、具体的には薄膜部３０の最薄部分の高さＺが１０ｎｍ以下の範囲であることが好ましい。最も好ましいのは、透明性と安定性のバランスの両立を図るために、０＜Ｚ≦１０ｎｍの範囲で、薄膜部３０を備えることである。
【０１７５】
更に、平行線パターン３の更なる細線化向上のために、Ｈ１／Ｚ比、Ｈ２／Ｚ比は、各々５以上であることが好ましく、１０以上であることがより好ましく、２０以上であることが特に好ましい。
【０１７６】
本発明において、線分３１、３２の配置間隔Ｉの範囲は、格別限定されず、自由度高く適宜設定することがでる。具体的には、配置間隔Ｉを、例えば、５０μｍ以上、１００μｍ以上、２００μｍ以上、３００μｍ以上、４００μｍ以上、更には５００μｍ以上という大きい値に設定することも好ましい。配置間隔Ｉは、用途に応じて最適な値に適宜設定できる。透明導電膜等を形成する場合などにおいては、配置間隔Ｉは、例えば、１００μｍ以上〜１０００μｍ以下の範囲とすることが好ましく、１００μｍ以上〜５００μｍ以下の範囲とすることが更に好ましい。なお、線分３１、３２の配置間隔Ｉとは、線分３１、３２の各最大突出部間の距離とする。
【０１７７】
更にまた、線分３１と線分３２とに同様の形状（同程度の断面積）を付与することが好ましく、具体的には、線分３１と線分３２の高さＨ１とＨ２とを実質的に等しい値とすることが好ましい。これと同様に、線分３１と線分３２の線幅Ｗ１とＷ２とについても実質的に等しい値とすることが好ましい。
【０１７８】
線分３１、３２は、必ずしも平行である必要性はなく、少なくとも線分方向のある長さＬに亘って、線分３１、３２が結合していなければ良い。好ましくは、少なくとも線分方向のある長さＬに亘って、線分３１、３２が実質的に平行であることである。
【０１７９】
線分３１、３２の線分方向の長さＬは、線分３１、３２の配置間隔Ｉの５倍以上であることが好ましく、１０倍以上であることがより好ましい。長さＬ及び配置間隔Ｉは、パターン（ライン状液体）２の形成長さ及び形成幅に対応して設定することができる。
【０１８０】
ライン状液体の形成始点と終点（線分方向のある長さＬに亘った始点と終点）では、線分３１、３２が接続し、連続体として形成されてもよい。
【０１８１】
また、線分３１、３２は、その線幅Ｗ１、Ｗ２がほぼ等しく、且つ、線幅Ｗ１、Ｗ２が２本線間距離（配置間隔Ｉ）に比して、十分に細いものであることが好ましい。
【０１８２】
更に、１本のライン状液体から生成されるパターン３を構成する線分３１と線分３２とは、同時に形成されたものであることが好ましい。
【０１８３】
平行線パターン３は、各線分３１、３２が、下記（ア）〜（ウ）の条件を全て満たすことが特に好ましい。これにより、パターンが視認されにくくなり、透明性を向上できると共に、線分が安定化され、特に機能性材料が導電性材料である場合には、パターンの抵抗値を低下できる効果に優れる。
【０１８４】
（ア）各線分３１、３２の高さをＨ１、Ｈ２とし、該各線分間における最薄部分の高さをＺとしたときに、５≦Ｈ１／Ｚ、且つ５≦Ｈ２／Ｚであること。
（イ）各線分３１、３２の幅をＷ１、Ｗ２としたときに、Ｗ１≦１０μｍ、且つＷ２≦１０μｍであること。
（ウ）各線分３１、３２の高さをＨ１、Ｈ２としたときに、５０ｎｍ＜Ｈ１＜５μｍ、且つ５０ｎｍ＜Ｈ２＜５μｍであること。
【０１８５】
本発明により形成されたパターンには、必要に応じて焼成やメッキ等の後処理が施されることも好ましいことである。機能性材料として導電性材料を含む場合、後処理は、パターンの導電性を向上する処理であることが好ましい。
【０１８６】
本発明の透明導電膜付き基材は、以上に説明したパターン形成方法により形成されたパターンを含む透明導電膜を基材表面に有する。
【０１８７】
透明導電膜は、含有する機能性材料（導電性材料）自体が透明でない場合であっても、ライン状液体を平行線パターンに変化させて細線化することによって、パターンを視認し難くしたものということもできる。
【０１８８】
図１５に示すように、透明導電膜は、複数の平行線パターン３の集合体として構成されることが好ましい。透明導電膜は、例えば、図１５（ａ）及び（ｂ）に示すように、平行線パターン３を１方向に複数並列してなるストライプ状や、図１５（ｃ）及び（ｄ）に示すように、平行線パターン３を１方向に複数並列してなるものと、これと交差する方向に複数並列してなるものとを交差させてなるメッシュ状（格子状ともいう）の形態とすることが好ましい。ここで、図１５（ａ）及び（ｃ）の例は、平行線パターン３を基材１の辺に対して平行に形成した場合を示しており、図１５（ｂ）及び（ｄ）の例は、平行線パターン３を基材１の辺に対して斜めに形成した場合を示している。
【０１８９】
平行線パターン同士を交差させる場合は、第１のライン状液体を乾燥して第１の平行線パターンを形成し、次いで、第１の平行線パターンと交差するように第２のライン状液体を付与して、第２のライン状液体を乾燥して第２の平行線パターンを形成することが好ましい。
【０１９０】
透明導電膜付き基材の用途は、格別限定されず、種々の電子機器が備える種々のデバイスに用いることができる。
【０１９１】
透明導電膜付き基材の好ましい用途は、本発明の効果を顕著に奏する観点で、例えば、液晶、プラズマ、有機エレクトロルミネッセンス、フィールドエミッション等、各種方式のディスプレイ用透明電極として、あるいは、タッチパネルや携帯電話、電子ペーパー、各種太陽電池、各種エレクトロルミネッセンス調光素子等に用いられる透明電極として好適に用いることができる。
【０１９２】
更に、透明導電膜付き基材は、デバイスの透明電極として好適に用いられる。デバイスとしては、格別限定されるものではないが、例えば、タッチパネルセンサー等を好ましく例示できる。また、これらデバイスを備えた電子機器としては、格別限定されるものではないが、例えばスマートフォン、タブレット端末等を好ましく例示できる。
【０１９３】
以上の説明において、一つの態様について説明された構成は、他の態様に適宜適用することができる。
【実施例】
【０１９４】
以下に、本発明の実施例について説明するが、本発明はかかる実施例により限定されない。
【０１９５】
（実施例１）
図５に示した液滴吐出条件の変更例について検証した。
【０１９６】
＜正常時＞
ノズル解像度３６０ｎｐｉのピエゾ方式インクジェットヘッド（標準液適量４２ｐｌ）により構成されたラインヘッドを、ロール状巻回体から繰り出される長尺状フィルムの搬送方向に直交するように配置し、走査方向解像度３６０ｄｐｉにて下記インクを用いてライン状液体を形成した。図５Ａに示したように、正常時において、ノズル９ａ〜９ｄから各画素に３ｄｐｄで液滴を付与した。
長尺状フィルムはベルト搬送とし、搬送ベルトの裏面側から当該搬送ベルトを５５℃に加熱するようにヒーターを設けた。印字領域の搬送方向下流側に乾燥装置が設けられ、該乾燥装置によりライン状液体を温風により乾燥するようにした。ライン状液体の乾燥により、平行線パターンが形成された。ライン状液体の長さ方向に沿う両縁に、線幅６μｍの銀ナノ粒子が連なった細線が形成された。
正常時において、２本の細線の配置間隔は２９０μｍで均一であった。
【０１９７】
＜異常時＞
図５Ｂに示したように、ノズル９ｂが完全な不吐出になったことを想定し、ノズル９ｂに対応する画素に対して液滴を付与しないようにしてライン状液体を形成したこと以外は、正常時と同様にしてパターン形成した。
かかる異常時において、各ノズルから付与された液滴は合一されライン状液体を形成したが、該ライン状液体から生成された２本の細線の配置間隔Ｉは２００μｍであり、正常時と異なる値となった。
【０１９８】
＜液滴吐出条件の候補＞
まず、不吐出ノズルの発生による液滴付与量の減少量（１画素行あたり３液滴）を算出し、不足分を補う液滴吐出条件として図５Ｃ１〜Ｃ３に示した液滴吐出条件を候補として用いた。
各液滴吐出条件によりライン状液体を形成し、正常時と同様にしてパターン形成した。ライン状液体から生成された２本の細線の配置間隔Ｉ（図１（Ｃ）参照）の値を表１に示した。
【０１９９】
【表１】
0006406078.tif 000002
【０２００】
＜最適条件の判定＞
表１より、液滴吐出条件Ｃ１〜Ｃ３により、配置間隔Ｉの値が正常時の値に近づくことがわかる。特に、液滴吐出条件Ｃ３を用いた場合の配置間隔Ｉは、正常時の値と一致した。
この結果から、液滴吐出条件Ｃ３により最適な補正が成されたと判定できる。
【０２０１】
（実施例２）
図７に示した液滴吐出条件の変更例について検証した。
【０２０２】
＜正常時＞
実施例１と同様の装置を用い、図７Ａに示したように、正常時において、ノズル９ａ〜９ｊから各画素に３ｄｐｄで液滴を付与し、ライン状液体を形成した。
ライン状液体の乾燥により、平行線パターンが形成された。ライン状液体の長さ方向に沿う両縁に、線幅６μｍの銀ナノ粒子が連なった細線が形成された。
正常時において、２本の細線の配置間隔は２６０μｍで均一であった。
【０２０３】
＜異常時＞
図７Ｂに示したように、ノズル９ｃが完全な不吐出になったことを想定し、ノズル９ｃに対応する画素に対して液滴を付与しないようにしてライン状液体を形成したこと以外は、正常時と同様にしてパターン形成した。
かかる異常時において、各ノズルから付与された液滴は合一されライン状液体を形成したが、該ライン状液体から生成された２本の細線の配置間隔Ｉは、１７０〜２６０μｍの範囲で変動した。
【０２０４】
＜液滴吐出条件の候補＞
まず、不吐出ノズルの発生による液滴付与量の減少量（１画素行あたり３液滴）を算出し、不足分を補う液滴吐出条件として図７Ｄ１、Ｄ２に示した液滴吐出条件を候補として用いた。
各液滴吐出条件によりライン状液体を形成し、正常時と同様にしてパターン形成した。ライン状液体から生成された２本の細線の配置間隔Ｉの値を表２に示した。
【表２】
0006406078.tif 000003
【０２０５】
＜最適条件の判定＞
表２より、液滴吐出条件Ｄ１、Ｄ２により、配置間隔Ｉの値が正常時の値に近づくことがわかる。特に、液滴吐出条件Ｄ２を用いた場合の配置間隔Ｉは、正常時の値と一致した。
この結果から、液滴吐出条件Ｄ２により最適な補正が成されたと判定できる。
【０２０６】
（実施例３）
図１０に示した液滴吐出条件の変更例について検証した。
【０２０７】
＜正常時＞
実施例１と同様の装置を用い、図１０Ａに示したように、正常時において、ノズル９ａ〜９ｊから各画素に３ｄｐｄで液滴を付与し、ライン状液体を形成した。
ライン状液体の乾燥により、平行線パターンが形成された。ライン状液体の長さ方向に沿う両縁に、線幅６μｍの銀ナノ粒子が連なった細線が形成された。
正常時において、２本の細線の配置間隔は２６０μｍで均一であった。
【０２０８】
＜異常時＞
図１０Ｂに示したように、ノズル９ｃが曲がり吐出ノズルとなるように調整したこと以外は、正常時と同様にしてパターン形成した。
かかる異常時において、各ノズルから付与された液滴は合一されライン状液体を形成したが、該ライン状液体から生成された２本の細線の配置間隔Ｉは、２３０〜２６０μｍの範囲で変動した。
【０２０９】
＜液滴吐出条件の候補＞
液滴吐出条件として図１０Ｇ１、Ｇ２に示した液滴吐出条件を候補として用いた。
各液滴吐出条件によりライン状液体を形成し、正常時と同様にしてパターン形成した。ライン状液体から生成された２本の細線の配置間隔Ｉの値を表３に示した。
【表３】
0006406078.tif 000004
【０２１０】
＜最適条件の判定＞
表３より、液滴吐出条件Ｇ１、Ｇ２により、配置間隔Ｉの値が正常時の値に近づくことがわかる。特に、液滴吐出条件Ｄ２を用いた場合の配置間隔Ｉは、正常時の値と一致した。
この結果から、液滴吐出条件Ｇ２により最適な補正が成されたと判定できる。
【０２１１】
（実施例４）
図１２に示した液滴吐出条件の変更例について検証した。
【０２１２】
＜正常時＞
ノズル解像度３６０ｎｐｉのピエゾ方式インクジェットヘッド（標準液適量３０ｐｌ）により構成された第１ラインヘッド（第１液滴吐出装置）を、ロール状巻回体から繰り出される長尺状フィルムの搬送方向に直交するように配置し、走査方向解像度３６０ｄｐｉにて下記インクを用いてライン状液体を形成した。図１２Ａに示したように、正常時において、第１ラインヘッドのノズル９ａ〜９ｄから各画素に３ｄｐｄで液滴を付与した。
長尺状フィルムはベルト搬送とし、基材温度は２５℃とした。印字領域の搬送方向下流側に第１ラインヘッドと同様の構成を有する第２ラインヘッド（第２液滴吐出装置）を設け、更にその下流側に乾燥装置を設けた。正常時において、第２ラインヘッドは、図１２Ａ’に示したように駆動させなかった。
乾燥装置によりライン状液体を温風により乾燥するようにした。ライン状液体の乾燥により、平行線パターンが形成された。ライン状液体の長さ方向に沿う両縁に、線幅６μｍの銀ナノ粒子が連なった細線が形成された。
正常時において、２本の細線の配置間隔は３３０μｍで均一であった。
【０２１３】
＜異常時＞
図１２Ｂに示したように、ノズル９ｃが完全な不吐出になったことを想定し、ノズル９ｃに対応する画素に対して液滴を付与しないようにしてライン状液体を形成したこと以外は、正常時と同様にしてパターン形成した。
かかる異常時において、各ノズルから付与された液滴は合一されライン状液体を形成したが、該ライン状液体から生成された２本の細線の配置間隔Ｉは２００μｍであり、正常時と異なる値になった。
【０２１４】
＜液滴吐出条件の候補＞
まず、不吐出ノズルの発生による液滴付与量の減少量（１画素行あたり３液滴）を算出し、不足分を補う液滴吐出条件セットとして図１２Ｈ１、Ｈ１’並びにＨ２、Ｈ２’に示した液滴吐出条件セットを候補として用いた。
第１ラインヘッド及び第２ラインヘッドを各液滴吐出条件セットにて設定し、ライン状液体を形成し、正常時と同様にしてパターン形成した。このとき、第１ラインヘッドで形成されたライン状液体が完全に乾燥する前に、第２ラインヘッドからの液滴付与を行うようにした。ライン状液体から生成された２本の細線の配置間隔Ｉの値を表４に示した。
【表４】
0006406078.tif 000005
【０２１５】
＜最適条件の判定＞
表４より、液滴吐出条件セットＨ１、Ｈ１’並びにＨ２、Ｈ２’により、配置間隔Ｉの値が正常時の値に近づくことがわかる。特に、液滴吐出条件セットＨ２、Ｈ２’を用いた場合の配置間隔Ｉは、正常時の値に最も近いものとなった。
この結果から、液滴吐出条件セットＨ２、Ｈ２’により最適な補正が成されたと判定できる。
【符号の説明】
【０２１６】
１：基材
２：ライン状液体
３：平行線パターン
３１、３２：細線
４：液滴吐出装置
５：制御部
５１：算出部
６：乾燥装置
７：イメージセンサー
８：搬送装置
９ａ〜９ｊ：ノズル
【図１】
0006406078.tif 000006
【図２】
0006406078.tif 000007
【図３】
0006406078.tif 000008
【図４】
0006406078.tif 000009
【図５】
0006406078.tif 000010
【図６】
0006406078.tif 000011
【図７】
0006406078.tif 000012
【図８】
0006406078.tif 000013
【図９】
0006406078.tif 000014
【図１０】
0006406078.tif 000015
【図１１】
0006406078.tif 000016
【図１２】
0006406078.tif 000017
【図１３】
0006406078.tif 000018
【図１４】
0006406078.tif 000019
【図１５】
0006406078.tif 000020